(57)【要約】【課題】移動局装置と基地局装置との間の無線リソース要求を効率的に行うことによって、消費電力の削減および無線リソースの利用効率を向上させる移動局装置、基地局装置、通信システム、無線リソース要求方法および集積回路を提供すること。【解決手段】基地局装置は、無線リソース要求を送信した際に適用される、無線リソースの割り当てに用いられる信号情報を監視させるための監視タイマーを移動局装置に設定し、移動局装置は、無線リソース要求の送信後に監視タイマーを起動し、前記監視タイマーに基づいて無線リソースの割り当てに用いられる信号情報を監視する。【選択図】図３
2013229694.tif 000002
【特許請求の範囲】
【請求項１】
移動局装置と基地局装置とを備える通信システムにおける移動局装置であって、
上りリンク無線リソース要求を前記基地局装置に送信後に上りリンク無線リソースの割り当てに用いられる信号情報を監視するための監視タイマーを起動し、
前記監視タイマーに基づいて前記上りリンク無線リソースの割り当てに用いられる信号情報の監視を行うことを特徴とする移動局装置。
【請求項２】
前記移動局装置は間欠受信制御状態であることを特徴とする請求項１に記載の移動局装置。
【請求項３】
前記監視タイマーが動作中は前記上りリンク無線リソースの割り当てに用いられる信号情報を監視し、
前記監視タイマーが満了した後は前記上りリンク無線リソースの割り当てに用いられる信号情報を監視しないことを特徴とする請求項１に記載の移動局装置。
【請求項４】
前記監視タイマーには、前記監視タイマーの起動時間の調整に用いられるオフセット値が適用されることを特徴とする請求項１に記載の移動局装置。
【請求項５】
前記上りリンク無線リソースの割り当てに用いられる信号情報を検出したときに前記監視タイマーを停止することを特徴とする請求項１に記載の移動局装置。
【請求項６】
移動局装置と基地局装置とを備える通信システムにおける基地局装置であって、
上りリンク無線リソース要求を前記基地局装置に送信した際に適用される、上りリンク無線リソースの割り当てに用いられる信号情報を監視させるための監視タイマーを前記移動局装置に設定することを特徴とする基地局装置。
【請求項７】
前記移動局装置に対し、前記監視タイマーの起動時間の調整に用いられるオフセット値を設定することを特徴とする請求項６に記載の基地局装置。
【請求項８】
移動局装置と基地局装置とを備える通信システムであって、
前記基地局装置は、上りリンク無線リソース要求を前記基地局装置に送信した際に適用される、上りリンク無線リソースの割り当てに用いられる信号情報を監視させるための監視タイマーを前記移動局装置に設定し、
前記移動局装置は、前記上りリンク無線リソース要求を前記基地局装置に送信後に前記監視タイマーを起動し、前記監視タイマーに基づいて前記上りリンク無線リソースの割り当てに用いられる信号情報の監視を行うことを特徴とする通信システム。
【請求項９】
前記移動局装置は、前記監視タイマーが動作中は前記上りリンク無線リソースの割り当てに用いられる信号情報を監視し、前記監視タイマーが満了した後は前記上りリンク無線リソースの割り当てに用いられる信号情報を監視しないことを特徴とする請求項８に記載の通信システム。
【請求項１０】
前記基地局装置は、前記移動局装置に対し、前記監視タイマーの起動時間の調整に用いられるオフセット値を設定することを特徴とする請求項８に記載の通信システム。
【請求項１１】
前記移動局装置は、前記上りリンク無線リソースの割り当てに用いられる信号情報を検出したときに前記監視タイマーを停止することを特徴とする請求項８に記載の通信システム。
【請求項１２】
移動局装置と基地局装置とを備える通信システムにおける移動局装置の無線リソース要求方法であって、
上りリンク無線リソース要求を前記基地局装置に送信後に上りリンク無線リソースの割り当てに用いられる信号情報を監視するための監視タイマーを起動するステップと、
前記監視タイマーに基づいて前記上りリンク無線リソースの割り当てに用いられる信号情報の監視を行うステップを少なくとも備えることを特徴とする無線リソース要求方法。
【請求項１３】
移動局装置と基地局装置とを備える通信システムにおける移動局装置に搭載される集積回路であって、
上りリンク無線リソース要求を前記基地局装置に送信後に上りリンク無線リソースの割り当てに用いられる信号情報を監視するための監視タイマーを起動する機能と、
前記監視タイマーに基づいて前記上りリンク無線リソースの割り当てに用いられる信号情報の監視を行う機能を前記移動局装置に発揮させることを特徴とする集積回路。
【請求項１４】
移動局装置と基地局装置とを備える通信システムにおける基地局装置に搭載される集積回路であって、
上りリンク無線リソース要求を前記基地局装置に送信した際に適用される、上りリンク無線リソースの割り当てに用いられる信号情報を監視させるための監視タイマーを前記移動局装置に設定する機能を前記基地局装置に発揮させることを特徴とする集積回路。
【発明の詳細な説明】
【技術分野】
【０００１】
本発明の実施形態は、移動局装置と基地局装置との間の無線リソース要求を効率的に行うことによって、消費電力の削減および無線リソースの利用効率を向上させる移動局装置、基地局装置、通信システム、無線リソース要求方法および集積回路に関する。
【背景技術】
【０００２】
標準化プロジェクトである３ＧＰＰ（3rd Generation Partnership Project）において、ＯＦＤＭ（Orthogonal Frequency-Division Multiplexing）通信方式やリソースブロックと呼ばれる所定の周波数・時間単位の柔軟なスケジューリングの採用によって、高速な通信を実現させたＥｖｏｌｖｅｄ  Ｕｎｉｖｅｒｓａｌ  Ｔｅｒｒｅｓｔｒｉａｌ  Ｒａｄｉｏ  Ａｃｃｅｓｓ（以降EUTRAと称する）の標準化が行なわれた。
【０００３】
また、３ＧＰＰでは、より高速なデータ伝送を実現し、ＥＵＴＲＡに対して上位互換性を持つＡｄｖａｎｃｅｄ  ＥＵＴＲＡの議論を行っている。ＥＵＴＲＡや、Ａｄｖａｎｃｅｄ  ＥＵＴＲＡでは、高速なデータ通信を実現するだけでなく、移動局装置上で常時動作する複数のアプリケーションによって移動局装置の消費電力が増加するという問題や、該アプリケーションによって消費される無線リソースの利用効率を高めるための議論もまた行われている（非特許文献１）。
【先行技術文献】
【非特許文献】
【０００４】
【非特許文献１】3GPP TR 36.822 V0.2.0 (2011-11), LTE RAN Enhancements for Diverse Data Applicationshttp://www.3gpp.org/ftp/Specs/html-info/36822.htm
【発明の概要】
【発明が解決しようとする課題】
【０００５】
ＥＵＴＲＡにおける移動局装置は、上りリンクの無線リソースを要求するための無線リソース要求（Ｓｃｈｅｄｕｌｉｎｇ  Ｒｅｑｕｅｓｔ（ＳＲ）とも称する）手順を備えている。また、このとき移動局装置が無線リソース要求に用いる上りリンクチャネルとして、物理上りリンク制御チャネルと物理ランダムアクセスチャネルとを備えており、基地局装置に対して上りリンクの無線リソースが必要であるとき、移動局装置は、このどちらかのチャネルを送信することによって、基地局装置に対して上りリンクの無線リソースが必要であることを通知する。
【０００６】
しかしながら、非特許文献１で示されるように、少量のデータパケットのみを生起するようなアプリケーション（例えば、バックグラウンド通信（バックグランドトラフィック）やインスタントメッセージ通信などが相当する）が移動局装置で常時動作しているような通信状態を考えるとき、実際に使用される上りリンクデータ用の無線リソースは少量であり、かつ送信の頻度も低いため、無線リソース要求に用いる物理上りリンク制御チャネルを移動局装置に常に割り当てておくことは、物理上りリンク制御チャネルに関する無線リソースの利用効率が悪くなるという問題がある。この問題を解決するためのもっとも単純な方法は、無線リソース要求に用いる物理上りリンク制御チャネルを割り当てる頻度を減らすことである。
【０００７】
しかしながら、無線リソース要求に用いる物理上りリンク制御チャネルの割り当て頻度を減らすことは、移動局装置に対し、無線リソースが割り当てられるまで物理下りリンク制御チャネルを常に監視させることを意味し、消費電力が増加するという問題がある。
【０００８】
上記の課題を鑑みて、本発明の実施形態の目的は、移動局装置と基地局装置との間の無線リソース要求を効率的に行うことによって、消費電力の削減および無線リソースの利用効率を向上させる移動局装置、基地局装置、通信システム、無線リソース要求方法および集積回路を提供することを目的とする。
【課題を解決するための手段】
【０００９】
（１）上記の目的を達成するために以下のような手段を講じた。すなわち、本発明の実施形態における移動局装置は、移動局装置と基地局装置とを備える通信システムにおける移動局装置であって、上りリンク無線リソース要求を前記基地局装置に送信後に上りリンク無線リソースの割り当てに用いられる信号情報を監視するための監視タイマーを起動し、前記監視タイマーに基づいて前記上りリンク無線リソースの割り当てに用いられる信号情報の監視を行うことを特徴とする。
【００１０】
（２）また、本発明の実施形態における移動局装置は、間欠受信制御状態であることを特徴とする。
【００１１】
（３）また、本発明の実施形態における移動局装置は、前記監視タイマーが動作中は前記上りリンク無線リソースの割り当てに用いられる信号情報を監視し、前記監視タイマーが満了した後は前記上りリンク無線リソースの割り当てに用いられる信号情報を監視しないことを特徴とする。
【００１２】
（４）また、本発明の実施形態における移動局装置において、前記監視タイマーには、前記監視タイマーの起動時間の調整に用いられるオフセット値が適用されることを特徴とする。
【００１３】
（５）また、本発明の実施形態における移動局装置は、前記上りリンク無線リソースの割り当てに用いられる信号情報を検出したときに前記監視タイマーを停止することを特徴とする。
【００１４】
（６）また、本発明の実施形態における基地局装置は、移動局装置と基地局装置とを備える通信システムにおける基地局装置であって、上りリンク無線リソース要求を前記基地局装置に送信した際に適用される、上りリンク無線リソースの割り当てに用いられる信号情報を監視させるための監視タイマーを前記移動局装置に設定することを特徴とする。
【００１５】
（７）また、本発明の実施形態における基地局装置は、前記移動局装置に対し、前記監視タイマーの起動時間の調整に用いられるオフセット値を設定することを特徴とする。
【００１６】
（８）また、本発明の実施形態における通信システムは、移動局装置と基地局装置とを備える通信システムであって、前記基地局装置は、上りリンク無線リソース要求を前記基地局装置に送信した際に適用される、上りリンク無線リソースの割り当てに用いられる信号情報を監視させるための監視タイマーを前記移動局装置に設定し、前記移動局装置は、前記上りリンク無線リソース要求を前記基地局装置に送信後に前記監視タイマーを起動し、前記監視タイマーに基づいて前記上りリンク無線リソースの割り当てに用いられる信号情報の監視を行うことを特徴とする。
【００１７】
（９）また、本発明の実施形態における通信システムの移動局装置は、前記監視タイマーが動作中は前記上りリンク無線リソースの割り当てに用いられる信号情報を監視し、前記監視タイマーが満了した後は前記上りリンク無線リソースの割り当てに用いられる信号情報を監視しないことを特徴とする。
【００１８】
（１０）また、本発明の実施形態における通信システムの基地局装置は、前記移動局装置に対し、前記監視タイマーの起動時間の調整に用いられるオフセット値を設定することを特徴とする。
【００１９】
（１１）また、本発明の実施形態における通信システムの移動局装置は、前記上りリンク無線リソースの割り当てに用いられる信号情報を検出したときに前記監視タイマーを停止することを特徴とする。
【００２０】
（１２）また、本発明の実施形態における移動局装置の無線リソース要求方法は、移動局装置と基地局装置とを備える通信システムにおける移動局装置の無線リソース要求方法であって、上りリンク無線リソース要求を前記基地局装置に送信後に上りリンク無線リソースの割り当てに用いられる信号情報を監視するための監視タイマーを起動するステップと、前記監視タイマーに基づいて前記上りリンク無線リソースの割り当てに用いられる信号情報の監視を行うステップを少なくとも備えることを特徴とする。
【００２１】
（１３）また、本発明の実施形態における移動局装置の集積回路は、移動局装置と基地局装置とを備える通信システムにおける移動局装置に搭載される集積回路であって、上りリンク無線リソース要求を前記基地局装置に送信後に上りリンク無線リソースの割り当てに用いられる信号情報を監視するための監視タイマーを起動する機能と、前記監視タイマーに基づいて前記上りリンク無線リソースの割り当てに用いられる信号情報の監視を行う機能を前記移動局装置に発揮させることを特徴とする。
【００２２】
（１３）また、本発明の実施形態における基地局装置の集積回路は、移動局装置と基地局装置とを備える通信システムにおける基地局装置に搭載される集積回路であって、上りリンク無線リソース要求を前記基地局装置に送信した際に適用される、上りリンク無線リソースの割り当てに用いられる信号情報を監視させるための監視タイマーを前記移動局装置に設定する機能を前記基地局装置に発揮させることを特徴とする。
【００２３】
本明細書では、効率的なデータの送受信制御を実現する移動局装置、基地局装置、通信システム、送受信制御方法および集積回路という点において各実施形態を開示するが、各実施形態に対して適用可能な通信方式は、ＥＵＴＲＡまたはＡｄｖａｎｃｅｄ  ＥＵＴＲＡのようにＥＵＴＲＡと上位互換性のある通信方式に限定されるものではない。
【００２４】
例えば、本明細書で述べられる技術は、符号分割多重アクセス（ＣＤＭＡ）システム、時分割多重アクセス（ＴＤＭＡ）システム、周波数分割多重アクセス（ＦＤＭＡ）システム、直交ＦＤＭＡ（ＯＦＤＭＡ）システム、シングルキャリアＦＤＭＡ（ＳＣ−ＦＤＭＡ）システム、およびその他のシステム等の、種々の通信システムにおいて使用され得る。また、本明細書において、システムとネットワークは同義的に使用され得る。
【００２５】
また、移動局装置と基地局装置は、キャリア・アグリゲーションによって複数の異なる周波数バンド（周波数帯）の周波数（コンポーネントキャリア、または周波数帯域）を集約（アグリゲート、ａｇｇｒｅｇａｔｅ）して一つの周波数（周波数帯域）のように扱う技術を適用してもよい。コンポーネントキャリアには、上りリンクに対応する上りリンクコンポーネントキャリアと、下りリンクに対応する下りリンクコンポーネントキャリアとがある。
【００２６】
例えば、キャリア・アグリゲーションによって周波数帯域幅が２０ＭＨｚのコンポーネントキャリアを５つ集約した場合、キャリア・アグリゲーションを可能な能力を持つ移動局装置はこれらを一つの１００ＭＨｚの周波数帯域幅とみなして送受信を行う。なお、集約するコンポーネントキャリアは連続した周波数であっても、全てまたは一部が不連続となる周波数であってもよい。例えば、使用可能な周波数バンドが８００ＭＨｚ帯、２．４ＧＨｚ帯、３．４ＧＨｚ帯である場合、あるコンポーネントキャリアが８００ＭＨｚ帯、別のコンポーネントキャリアが２ＧＨｚ帯、さらに別のコンポーネントキャリアが３．４ＧＨｚ帯で送信されていてもよい。
【００２７】
また、同一周波数帯の連続または不連続の複数のコンポーネントキャリアを集約することも可能である。各コンポーネントキャリアの周波数帯域幅は移動局装置の受信可能周波数帯域幅（例えば２０ＭＨｚ）よりも狭い周波数帯域幅であっても良く、各々周波数帯域幅が異なっていても良い。周波数帯域幅は、後方互換性を考慮して従来のセルの周波数帯域幅のいずれかと等しいことが望ましい。なお、基地局装置が移動局装置に割り当てる（設定する、追加する）上りリンクコンポーネントキャリアの数は、下りリンクコンポーネントキャリアの数と同じか少ないことが望ましい。
【発明の効果】
【００２８】
本発明の実施形態によれば、移動局装置と基地局装置との間の無線リソース要求を効率的に行うことによって、消費電力の削減および無線リソースの利用効率を向上させる移動局装置、基地局装置、通信システム、無線リソース要求方法および集積回路を提供することが出来る。
【図面の簡単な説明】
【００２９】
【図１】本発明の実施形態における移動局装置の概略構成を示すブロック図である。
【図２】本発明の実施形態における基地局装置の概略構成を示すブロック図である。
【図３】本発明の第１の実施形態における移動局装置の送受信動作の一例を示す図である。
【図４】本発明の第２の実施形態における移動局装置の送受信動作の一例を示す図である。
【発明を実施するための形態】
【００３０】
本発明の各実施形態を説明する前に、本発明の各実施形態に関わる技術について以下に簡単に説明する。
【００３１】
[物理チャネル／物理シグナル]
ＥＵＴＲＡおよびＡｄｖａｎｃｅｄ  ＥＵＴＲＡで使用される主な物理チャネル、および物理シグナルについて説明を行なう。チャネルとは信号（信号情報）の送信に用いられる媒体を意味し、物理チャネルとは信号（信号情報）の送信に用いられる物理的な媒体を意味する。本発明において、物理チャネルは、信号と同義的に使用され得る。物理チャネルは、ＥＵＴＲＡ、およびＡｄｖａｎｃｅｄ  ＥＵＴＲＡにおいて、今後追加、または、その構造やフォーマット形式が変更または追加される可能性もあるが、変更または追加された場合でも本発明の各実施形態の説明には影響しない。
【００３２】
ＥＵＴＲＡおよびＡｄｖａｎｃｅｄ  ＥＵＴＲＡでは、物理チャネル／物理シグナルのスケジューリングについて無線フレームを用いて管理している。１無線フレームは１０ｍｓであり、１無線フレームは１０サブフレームで構成される。さらに、１サブフレームは２スロットで構成される（すなわち、１サブフレームは１ｍｓ、１スロットは０．５ｍｓである）。また、物理チャネルが配置されるスケジューリングの最小単位としてリソースブロックを用いて管理している。リソースブロックとは、周波数軸を複数サブキャリア（例えば１２サブキャリア）の集合で構成される一定の周波数領域と、一定の送信時間間隔（１スロット）で構成される領域で定義される。
【００３３】
同期シグナル（Synchronization Signals）は、３種類のプライマリ同期シグナルと、周波数領域で互い違いに配置される３１種類の符号から構成されるセカンダリ同期シグナルとで構成され、プライマリ同期シグナルとセカンダリ同期シグナルの信号の組み合わせによって、基地局装置を識別する５０４通りのセル識別子（物理セルＩＤ（Physical Cell Identity; PCI））と、無線同期のためのフレームタイミングが示される。移動局装置は、セルサーチによって受信した同期シグナルのセルＩＤを特定する。
【００３４】
物理報知情報チャネル（PBCH; Physical Broadcast Channel）は、セル内の移動局装置で共通に用いられる制御パラメータ（報知情報（システム情報）；System information）を通知する目的で送信される。物理報知情報チャネルで通知されない報知情報は、物理下りリンク制御チャネルで無線リソースが通知され、物理下りリンク共用チャネルによってレイヤ３メッセージ（システムインフォメーション）で送信される。報知情報として、セル個別の識別子を示すセルグローバル識別子（CGI; Cell Global Identifier）、ページングによる待ち受けエリアを管理するトラッキングエリア識別子（TAI; Tracking Area Identifier）、ランダムアクセス設定情報（送信タイミングタイマーなど）、共通無線リソース設定情報などが通知される。
【００３５】
下りリンクリファレンスシグナルは、その用途によって複数のタイプに分類される。例えば、セル固有ＲＳ（Cell-specific reference signals）は、セル毎に所定の電力で送信されるパイロットシグナルであり、所定の規則に基づいて周波数領域および時間領域で周期的に繰り返される下りリンクリファレンスシグナルである。移動局装置は、セル固有ＲＳを受信することでセル毎の受信品質を測定する。また、移動局装置は、セル固有ＲＳと同時に送信される物理下りリンク制御チャネル、または物理下りリンク共用チャネルの復調のための参照用の信号としても下りセル固有ＲＳを使用する。セル固有ＲＳに使用される系列は、セル毎に識別可能な系列が用いられる。
【００３６】
また、下りリンクリファレンスシグナルは下りリンクの伝搬路変動の推定にも用いられる。伝搬路変動の推定に用いられる下りリンクリファレンスシグナルのことをチャネル状態情報リファレンスシグナル（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌｓ；ＣＳＩ−ＲＳ）と称する。また、移動局装置毎に個別に設定される下りリンクリファレンスシグナルは、ＵＥ  ｓｐｅｃｉｆｉｃ  Ｒｅｆｅｒｅｎｃｅ  Ｓｉｇｎａｌｓ（ＵＲＳ）またはＤｅｄｉｃａｔｅｄ  ＲＳ（ＤＲＳ）と称され、物理下りリンク制御チャネル、または物理下りリンク共用チャネルを復調するときのチャネル補償処理のために参照される。
【００３７】
物理下りリンク制御チャネル（PDCCH; Physical Downlink Control Channel）は、各サブフレームの先頭からいくつかのＯＦＤＭシンボル（例えば１〜４ＯＦＤＭシンボル）で送信され、移動局装置に対して基地局装置のスケジューリングに従った無線リソース割り当て情報や、送信電力の増減の調整量を指示する目的で使用される。移動局装置は、下りリンクデータや下りリンク制御データであるレイヤ３メッセージ（ページング、ハンドオーバーコマンドなど）を送受信する前に自局装置宛の物理下りリンク制御チャネルを監視（モニタ）し、自局装置宛の物理下りリンク制御チャネルを受信することで、送信時には上りリンクグラント、受信時には下りリンクグラント（下りリンクアサインメント）と呼ばれる無線リソース割り当て情報を物理下りリンク制御チャネルから取得する必要がある。なお、物理下りリンク制御チャネルは、上述したＯＤＦＭシンボルで送信される以外に、基地局装置から移動局装置に対して個別（ｄｅｄｉｃａｔｅｄ）に割り当てられるリソースブロックの領域で送信されるように構成することも可能である。
【００３８】
物理上りリンク制御チャネル（PUCCH; Physical Uplink Control Channel）は、物理下りリンク共用チャネルで送信されたデータの受信確認応答（ＡＣＫ／ＮＡＣＫ；Ａｃｋｎｏｗｌｅｄｇｅｍｅｎｔ／Ｎｅｇａｔｉｖｅ  Ａｃｋｎｏｗｌｅｄｇｅｍｅｎｔ）や下りリンクの伝搬路（チャネル状態）情報（ＣＳＩ；Ｃｈａｎｎｅｌ  Ｓｔａｔｅ  Ｉｎｆｏｒｍａｔｉｏｎ）、上りリンクの無線リソース割り当て要求（無線リソース要求）であるスケジューリングリクエスト（ＳＲ；Ｓｃｈｅｄｕｌｉｎｇ  Ｒｅｑｕｅｓｔ）を行なうために使用される。ＣＳＩは、ＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘ  Ｉｎｄｉｃａｔｏｒ）、ＰＴＩ（Ｐｒｅｃｏｄｉｎｇ  Ｔｙｐｅ  Ｉｎｄｉｃａｔｏｒ）、ＲＩ（Ｒａｎｋ  Ｉｎｄｉｃａｔｏｒ）を含む。各Ｉｎｄｉｃａｔｏｒは、Ｉｎｄｉｃａｔｉｏｎと表記される場合もあるが、その用途と意味は同じである。
【００３９】
物理下りリンク共用チャネル（PDSCH; Physical Downlink Shared Channel）は、下りリンクデータの他、ページングや物理報知情報チャネルで通知されない報知情報（システムインフォメーション）をレイヤ３メッセージとして移動局装置に通知するためにも使用される。物理下りリンク共用チャネルの無線リソース割り当て情報は、物理下りリンク制御チャネルで示される。物理下りリンク共用チャネルは物理下りリンク制御チャネルが送信されるＯＦＤＭシンボル以外のＯＦＤＭシンボルに配置されて送信される。すなわち、物理下りリンク共用チャネルと物理下りリンク制御チャネルは１サブフレーム内で時分割多重されている。
【００４０】
物理上りリンク共用チャネル（PUSCH; Physical Uplink Shared Channel）は、主に上りリンクデータと上りリンク制御データを送信し、下りリンクの受信品質やＡＣＫ／ＮＡＣＫなどの制御データを含めることも可能である。また、上りリンクデータの他、上りリンク制御情報をレイヤ３メッセージとして基地局装置に通知するためにも使用される。また、下りリンクと同様に物理上りリンク共用チャネルの無線リソース割り当て情報は、物理下りリンク制御チャネルで示される。
【００４１】
上りリンクリファレンスシグナル（上りリンク参照信号；Uplink Reference Signal、上りリンクパイロット信号、上りリンクパイロットチャネルとも呼称する）は、基地局装置が、物理上りリンク制御チャネルＰＵＣＣＨおよび／または物理上りリンク共用チャネルＰＵＳＣＨを復調するために使用する復調参照信号（ＤＭＲＳ；Demodulation Reference Signal）と、基地局装置が、主に、上りリンクのチャネル状態を推定するために使用するサウンディング参照信号（ＳＲＳ；Sounding Reference Signal）が含まれる。また、サウンディング参照信号には、周期的サウンディング参照信号（Ｐｅｒｉｏｄｉｃ  ＳＲＳ）と非周期的サウンディング参照信号（Ａｐｅｒｉｏｄｉｃ  ＳＲＳ）とがある。
【００４２】
物理ランダムアクセスチャネル（PRACH; Physical Random Access Channel）は、プリアンブル系列を通知するために使用されるチャネルであり、ガードタイムを有する。プリアンブル系列は、６４種類のシーケンスを用意して６ビットの情報を表現するように構成されている。物理ランダムアクセスチャネルは、移動局装置の基地局装置へのアクセス手段として用いられる。移動局装置は、物理上りリンク制御チャネル未設定時の無線リソース要求や、上りリンク送信タイミングを基地局装置の受信タイミングウィンドウに合わせるために必要な送信タイミング調整情報（タイミングアドバンス（Ｔｉｍｉｎｇ  Ａｄｖａｎｃｅ；ＴＡ）とも呼ばれる）を基地局装置に要求するために物理ランダムアクセスチャネルを用いる。
【００４３】
具体的には、移動局装置は、基地局装置より設定された物理ランダムアクセスチャネル用の無線リソースを用いてプリアンブル系列を送信する。送信タイミング調整情報を受信した移動局装置は、報知情報によって共通的に設定される（またはレイヤ３メッセージで個別に設定される）送信タイミング調整情報の有効時間を計時する送信タイミングタイマー（ＴＡ  ｔｉｍｅｒ）を設定し、送信タイミングタイマーの有効時間中（計時中）は送信タイミング調整状態、有効期間外（停止中）は送信タイミング非調整状態（送信タイミング未調整状態）として上りリンクの状態を管理する。
【００４４】
レイヤ３メッセージは、移動局装置と基地局装置のＲＲＣ（無線リソース制御）層でやり取りされる制御平面（Ｃｏｎｔｒｏｌ−ｐｌａｎｅ）のメッセージであり、ＲＲＣシグナリングまたはＲＲＣメッセージと同義的に使用され得る。なお、それ以外の物理チャネルは、本発明の各実施形態に関わらないため詳細な説明は省略する。
【００４５】
[無線ネットワーク]
基地局装置によって制御される各周波数の通信可能範囲はセルとしてみなされる。このとき、各周波数がカバーするエリア（セル）はそれぞれ異なる広さ、異なる形状であっても良い。また、カバーするエリアが周波数毎に異なっていてもよい。移動局装置は、セルの中で動作し、あるセルから別のセルへ移動するときは、非無線接続時（非通信中）はセル再選択手順、無線接続時（通信中）はハンドオーバー手順によって別の好適なセルへ移動する。好適なセルとは、一般的に移動局装置のアクセスが禁止されておらず、下りの受信品質が最良のセルのことを示す。
【００４６】
なお、キャリア・アグリゲーションは、複数のコンポーネントキャリア（周波数帯域）を用いた複数のセルによる通信であり、セル・アグリゲーションとも称される。なお、移動局装置は、周波数毎にリレー局装置（またはリピーター）を介して基地局装置と無線接続されても良い。すなわち、本発明の各実施形態の基地局装置は、リレー局装置に置き換えることが出来る。
【００４７】
３ＧＰＰが規定する基地局装置はノードＢ（NodeB）と称され、ＥＵＴＲＡおよびＡｄｖａｎｃｅｄ  ＥＵＴＲＡにおける基地局装置はイーノードＢ（eNodeB）と称される。なお、３ＧＰＰが規定するＥＵＴＲＡおよびＡｄｖａｎｃｅｄ  ＥＵＴＲＡにおける移動局装置はＵＥ（Ｕｓｅｒ  Ｅｑｕｉｐｍｅｎｔ）と称される。基地局装置は移動局装置が該基地局装置で通信可能なエリアであるセルを周波数毎に管理する。セルは、移動局装置と通信可能なエリアの大きさに応じてマクロセルやフェムトセルやピコセル、ナノセルとも称される。また、移動局装置がある基地局装置と通信可能であるとき、その基地局装置のセルのうち、移動局装置との通信に使用しているセルは在圏セル（Serving cell）であり、その他のセルは周辺セル（Neighboring cell）と称される。
【００４８】
[無線リソース要求（Scheduling Request）]
ＥＵＴＲＡにおいて、移動局装置が基地局装置に対して上りリンクデータの送信を開始するための方法として、以下の２つの無線リソース要求方法が用意されている。第１の無線リソース要求方法は、基地局装置が移動局装置に対して無線リソース要求を行なうために必要な物理上りリンク制御チャネルの送信リソースに関する設定（コンフィギュレーション）を割り当てている場合に、移動局装置が物理上りリンク制御チャネルを用いて基地局装置に無線リソース要求（上りリンクグラントの送信を要求）を行う方法である。
【００４９】
第１の無線リソース要求方法において、移動局装置は、上りリンクバッファに上りリンクデータが滞留しているときであって、該上りリンクデータを送信するための物理上りリンク共用チャネルが割り当てられていないとき（上りリンクグラントが未検出であるとき）、無線リソース要求の保留状態（Ｐｅｎｄｉｎｇ）となる。移動局装置が無線リソース要求の保留状態であるときで、無線リソース要求に用いる物理上りリンク制御チャネル（以降、ＳＲ−ＰＵＣＣＨと称する）の送信が可能である時、移動局装置はＳＲ−ＰＵＣＣＨを送信し、基地局装置に無線リソースを要求する。
【００５０】
このとき、移動局装置は、物理上りリンク制御チャネルの送信カウンタをインクリメントし、設定に応じて無線リソース要求禁止タイマー（ＳＲ  Ｐｒｏｈｉｂｉｔ  Ｔｉｍｅｒ）の計時を開始する。移動局装置は、無線リソース要求禁止タイマーが計時中のときはＳＲ−ＰＵＣＣＨの送信を行わない。また、移動局装置が送受信制御として、間欠受信（ＤＲＸ：Ｄｉｓｃｏｎｔｉｎｕｏｕｓ  Ｒｅｃｅｐｔｉｏｎ）制御／間欠送信（ＤＴＸ：Ｄｉｓｃｏｎｔｉｎｕｏｕｓ  Ｔｒａｎｓｍｉｓｓｉｏｎ）制御を適用していた場合、間欠受信制御／間欠送信制御から非間欠受信制御／非間欠送信制御を適用するように送受信制御を変更する。
【００５１】
ＳＲ−ＰＵＣＣＨを送信し、かつ無線リソース要求が保留状態の移動局装置は、ＳＲ−ＰＵＣＣＨ送信後の毎サブフレームにおいて、無線リソース割り当て（上りリンクグラントの送信）を検出するために物理下りリンク制御チャネルを監視する。また、移動局装置は、基地局装置から上りリンクグラントによって物理上りリンク共用チャネルが割り当てられるまで、周期的にＳＲ−ＰＵＣＣＨを送信する。移動局装置は、ＳＲ−ＰＵＣＣＨを送信するたびに送信カウンタをインクリメントし、送信回数をカウントする。移動局装置は、ＳＲ−ＰＵＣＣＨの送信カウンタがＳＲ−ＰＵＣＣＨの最大送信回数に達しても上りリンクグラントを検出できない場合、物理上りリンク制御チャネルのリソースを解放し、第２の無線リソース要求方法を開始する。第１の無線リソース要求方法において、移動局装置は送信タイミング調整状態である。
【００５２】
第２の無線リソース要求方法は、（１）移動局装置が送信タイミング調整状態であるが、基地局装置が移動局装置に対して無線リソース要求を行うために必要な上りリンク共用チャネルを割り当てていない場合、または（２）ＴＡ  ｔｉｍｅｒが非動作中の状態（送信タイミング非調整状態）の場合に実施される。第２の無線リソース要求方法において、移動局装置は、物理ランダムアクセスチャネルを用いて基地局装置に無線リソース要求を行う方法であり、ランダムアクセス手順に従う。
【００５３】
移動局装置は、第１の無線リソース要求方法または第２の無線リソース要求方法によって、基地局装置から物理上りリンク共用チャネルが割り当てられたときに、無線リソース要求の保留状態を解除する。
【００５４】
以上の事項を考慮しつつ、以下、添付図面を参照しながら本発明の好適な実施形態について詳細に説明する。なお、本発明の実施形態の説明において、本発明の実施形態に関連した公知の機能や構成についての具体的な説明が、本発明の実施形態の要旨を不明瞭にすると判断される場合には、その詳細な説明を省略する。
【００５５】
＜第１の実施形態＞
本発明の第１の実施形態について以下に説明する。本実施形態は、移動局装置１の無線リソース要求方法に関し、特に、移動局装置１が通信中のときの無線リソース要求の方法を判断し、該状態の判断に基づく無線リソース要求方法について示す。
【００５６】
図１は、本発明の第１の実施形態による移動局装置１の一例を示すブロック図である。本移動局装置１は、受信部１０１、復調部１０２、復号部１０３、測定処理部１０４、制御部１０５、上りリンクバッファ制御部１０６、符号部１０７、変調部１０８、送信部１０９、上りリンク無線リソース要求制御部１１０、ランダムアクセス制御部１１１、上位レイヤ１１２から構成される。上位レイヤ１１２は、無線リソース制御を執り行うＲＲＣ（Ｒａｄｉｏ  Ｒｅｓｏｕｒｃｅ  Ｃｏｎｔｒｏｌ）層の特定の機能を実現するブロックである。また、上りリンクバッファ制御部１０６、上りリンク無線リソース要求制御部１１０、ランダムアクセス制御部１１１は、データリンク層を管理するＭＡＣ（Ｍｅｄｉｕｍ  Ａｃｃｅｓｓ  Ｃｏｎｔｒｏｌ）層の特定の機能を実現するブロックである。
【００５７】
なお、移動局装置１は、キャリア・アグリゲーションによって複数の周波数（周波数帯、周波数帯域幅）の同時受信をサポートするために受信系のブロック（受信部１０１、復調部１０２、復号部１０３）、および複数の周波数（周波数帯、周波数帯域幅）の同時送信をサポートするために送信系のブロック（符号部１０７、変調部１０８、送信部１０９）を複数備えてもよい。
【００５８】
受信に関し、上位レイヤ１１２より制御部１０５へ移動局装置制御情報が入力される。移動局装置制御情報は、受信制御情報と送信制御情報によって構成される移動局装置１の無線通信制御に必要な情報であり、基地局装置２から個別に送信される無線接続リソース設定、セル固有の報知情報、またはシステムパラメータにより設定され、上位レイヤ１１２が必要に応じて制御部１０５へ入力する。制御部１０５は、受信に関する制御情報である受信制御情報を、受信部１０１、復調部１０２、復号部１０３へ適切に入力する。
【００５９】
受信制御情報は、受信周波数帯域の情報の他に、ＤＲＸ制御情報、各チャネルに関する受信タイミング、多重方法、無線リソース配置情報などの情報が含まれている。また、制御部１０５は、移動局装置１の測定結果が、指定された測定イベントを満たしたかどうかの測定イベント判定に用いる測定設定情報を測定処理部１０４に入力する。測定設定情報は、異なる複数の種別の測定イベントを含めることができる。測定設定情報は、セル毎、または周波数毎に異なる測定イベントが基地局装置２から設定されてもよい。
【００６０】
受信信号は、受信部１０１において受信される。受信部１０１は、受信制御情報で指定された周波数帯域で信号を受信する。また、受信部１０１は、受信制御情報として後述するＰＤＣＣＨ監視タイマー設定が適用される場合は、ＰＤＣＣＨの監視をＰＤＣＣＨ監視タイマーに従って行う。受信された信号は、復調部１０２へと入力される。復調部１０２は、受信信号の復調を行い、復号部１０３へと信号を入力して下りリンクデータと下りリンク制御データとを正しく復号し、復号された各データを上位レイヤ１１２へと入力する。各データは測定処理部１０４にも入力される。
【００６１】
測定処理部１０４は、セル（コンポーネントキャリア）毎の下りリンクリファレンスシグナルの受信品質（ＳＩＲ、ＳＩＮＲ、ＲＳＲＰ、ＲＳＲＱ、ＲＳＳＩ、パスロスなど）の測定値や、物理下りリンク制御チャネルまたは物理下りリンク共用チャネルの受信誤り率の測定結果に基づいて測定結果情報を生成する。測定処理部１０４は、測定結果を設定された測定イベントの成否を判定するパラメータの一つとしても用いる。
【００６２】
また、測定処理部１０４は、測定結果を測定結果情報として上位レイヤ１１２へ入力する。また、測定処理部１０４は、設定された測定イベントが一つまたは複数成立したとき（すなわち、設定された測定イベント条件を満たした場合）、成立した測定イベントの内容を表す測定イベント結果を測定結果情報として上位レイヤ１１２に通知する。また、測定処理部１０４は、一度成立した測定イベントが成立しなくなったとき（すなわち、設定された測定イベント条件を満たさなくなった場合）、非成立となった測定イベントの内容を表す測定イベント結果を測定結果情報として上位レイヤ１１２に通知してもよい。
【００６３】
また、送信に関し、上位レイヤ１１２より制御部１０５へ各ブロックを制御するための制御パラメータである移動局装置制御情報が入力され、送信に関する制御情報である送信制御情報が、上りリンクバッファ制御部１０６、符号部１０７、変調部１０８、送信部１０９へ適切に入力される。送信制御情報は、送信信号の上りリンクスケジューリング情報として、ＤＴＸ制御情報、符号化情報、変調情報、送信周波数帯域の情報、各チャネルに関する送信タイミング、多重方法、無線リソース配置情報などの情報が含まれている。
【００６４】
上位レイヤ１１２からランダムアクセス制御部１１１にランダムアクセス設定情報が入力される。ランダムアクセス設定情報には、プリアンブル情報や物理ランダムアクセスチャネル送信用の無線リソース情報（電力調整パラメータや、最大プリアンブル再送回数など）などが含まれる。また、上位レイヤ１１２は、上りリンク送信タイミングの調整に用いる送信タイミング調整情報と送信タイミングタイマーを管理し、セル毎（またはセルグループ毎、ＴＡグループ毎）に上りリンク送信タイミングの状態（送信タイミング調整状態または送信タイミング非調整状態）を管理する。送信タイミング調整情報と送信タイミングタイマーは、送信制御情報に含まれる。
【００６５】
なお、複数の上りリンク送信タイミングの状態を管理する必要がある場合、上位レイヤ１１２は、複数のそれぞれのセル（またはセルグループ、ＴＡグループ）の上りリンク送信タイミングに対応する送信タイミング調整情報を管理する。
【００６６】
生起した送信データ（上りリンクデータと上りリンク制御データ）は、上位レイヤ１１２より任意のタイミングで上りリンクバッファ制御部１０６に入力される。このとき、上りリンクバッファ制御部１０６は、入力された送信データの量（上りリンクバッファ量）を計算する。上りリンク無線リソース要求制御部１１０には、上位レイヤ１１２よりリソース要求設定情報が設定される。リソース要求設定情報には、少なくとも送信カウンタ設定情報と無線リソース要求禁止タイマー情報とが含まれている。また、上りリンクバッファ制御部１０６は、上りリンクバッファ制御部１０６に送信データが入力されたときに、送信データの発生を上りリンク無線リソース要求制御部１１０へ通知することによって、上りリンクバッファに送信データが存在することを知らせる。
【００６７】
上りリンク無線リソース要求制御部１１０は、入力された送信データの送信に必要な無線リソースが割り当てられているかを判断する。上りリンク無線リソース要求制御部１１０は、無線リソース割り当てに基づいて、物理上りリンク共用チャネルＰＵＳＣＨ、物理上りリンク制御チャネルによる無線リソース要求（ＳＲ−ＰＵＣＣＨ）、または物理ランダムアクセスチャネルのいずれか一つを選択し、選択したチャネルを送信するための制御処理を符号部１０７および／またはランダムアクセス制御部１１１に対して要求する。
【００６８】
すなわち、すでに無線リソースが割り当てられており、送信データを物理上りリンク共用チャネルＰＵＳＣＨで送信可能な状態であるとき、符号部１０７は、上りリンク無線リソース要求制御部１１０の指示に従って割り当て済みの無線リソースに対応する送信データを上りリンクバッファ制御部１０６から取得して符号化し、変調部１０８に出力する。または、無線リソースが割り当てられていないときで、物理上りリンク制御チャネルによる無線リソース要求（ＳＲ−ＰＵＣＣＨ）が可能であるとき、符号部１０７は、上りリンク無線リソース要求制御部１１０の指示に従ってＳＲ−ＰＵＣＣＨの送信に必要な制御データを符号化し、変調部１０８に出力する。
【００６９】
または、無線リソースが割り当てられていないときで、物理上りリンク制御チャネルによる無線リソース要求（ＳＲ−ＰＵＣＣＨ）が不可能であるとき、符号部１０７は、ランダムアクセス制御部１１１に対してランダムアクセス手順の開始を指示する。このとき、符号部１０７は、ランダムアクセス制御部１１１から入力されるランダムアクセスデータ情報に基づき物理ランダムアクセスチャネルで送信されるプリアンブル系列を生成する。また、符号部１０７は送信制御情報に従い、各データを適切に符号化し、変調部１０８に出力する。
【００７０】
変調部１０８は、符号部１０７からの出力を送信するチャネル構造に基づいて適切に変調処理を行う。送信部１０９は、変調部１０８の出力を周波数領域にマッピングすると共に、周波数領域の信号を時間領域の信号へ変換し、既定の周波数の搬送波にのせて電力増幅を行う。送信部１０９は、また、上位レイヤ１１２より入力されたセル毎（またセルグループ毎、ＴＡグループ毎）の送信タイミング調整情報に従って上りリンク送信タイミングを調整する。上りリンク制御データが配置される物理上りリンク共用チャネルは、ユーザデータの他に、例えばレイヤ３メッセージ（無線リソース制御メッセージ；ＲＲＣメッセージ）を含めることも可能である。
【００７１】
図１において、その他の移動局装置１の構成要素は本実施形態に特に強い関連性がないため省略してあるが、移動局装置１として動作するために必要なその他の機能を有する複数のブロックを構成要素として持つことは明らかである。
【００７２】
図２は、本発明の第１の実施形態による基地局装置２の一例を示すブロック図である。本基地局装置は、受信部２０１、復調部２０２、復号部２０３、制御部２０４、符号部２０５、変調部２０６、送信部２０７、上位レイヤ２０８、ネットワーク信号送受信部２０９から構成される。なお、基地局装置２は、複数の周波数（周波数帯、周波数帯域幅）をサポートするために受信系のブロック（受信部２０１、復調部２０２、復号部２０３）、および送信系のブロック（符号部２０５、変調部２０６、送信部２０７）を複数備えてもよい。
【００７３】
上位レイヤ２０８は、下りリンクデータと下りリンク制御データを符号部２０５へ入力する。符号部２０５は、入力されたデータを符号化し、変調部２０６へ入力する。変調部２０６は、符号化した信号の変調を行なう。また、変調部２０６から出力される信号は送信部２０７に入力される。送信部２０７は、入力された信号を周波数領域にマッピングした後、周波数領域の信号を時間領域の信号へ変換し、既定の周波数の搬送波にのせて電力増幅を行い送信する。下りリンク制御データが配置される物理下りリンク共用チャネルは、典型的にはレイヤ３メッセージ（ＲＲＣメッセージ）を構成する。
【００７４】
また、受信部２０１は、移動局装置１から受信した信号をベースバンドのデジタル信号に変換する。移動局装置１に対して異なる複数の送信タイミングのセルを設定している場合、受信部２０１はセル毎（またセルグループ毎、ＴＡグループ毎）に異なるタイミングで信号を受信する。受信部２０１で変換されたデジタル信号は、復調部２０２へ入力されて復調される。復調部２０２で復調された信号は続いて復号部２０３へ入力されて復号され、正しく復号された上りリンク制御データや上りリンクデータを上位レイヤ２０８へと出力する。
【００７５】
これら各ブロックの制御に必要な基地局装置制御情報は、受信制御情報と送信制御情報によって構成される基地局装置２の無線通信制御に必要な情報であり、上位のネットワーク装置（ＭＭＥやゲートウェイ装置、ＯＡＭ）やシステムパラメータにより設定され、上位レイヤ２０８が必要に応じて制御部２０４へ入力する。
【００７６】
制御部２０４は、送信に関連する基地局装置制御情報を、送信制御情報として符号部２０５、変調部２０６、送信部２０７の各ブロックに、受信に関連する基地局装置制御情報を、受信制御情報として受信部２０１、復調部２０２、復号部２０３の各ブロックに適切に入力する。基地局装置２のＲＲＣは、上位レイヤ２０８の一部として存在する。
【００７７】
一方、ネットワーク信号送受信部２０９は、基地局装置２間あるいは上位のネットワーク装置と基地局装置２との間の制御メッセージ、またはユーザデータの送信（転送）または受信を行なう。図２において、その他の基地局装置２の構成要素は本実施形態に特に強い関連性がないため省略してあるが、基地局装置２として動作するために必要なその他の機能を有する複数のブロックを構成要素として持つことは明らかである。
【００７８】
図３は、本実施形態における移動局装置１と基地局装置２との間における、送受信制御に関連する情報のやり取りについて示した図である。
【００７９】
図３は、移動局装置１が基地局装置２に対して無線リソース要求を行う際の、無線リソース要求の状態遷移（図中におけるＳＲ状態）と、物理下りリンク制御チャネルの監視状態の遷移（図中におけるＰＤＣＣＨ監視状態）とについて、横軸を時間軸として説明した図である。また、移動局装置１にはＤＲＸ／ＤＴＸ制御が適用されている。
【００８０】
まず、タイミングＴ１１からタイミングＴ１２までの移動局装置１の送受信制御について説明する。この区間は、移動局装置１に対してＤＲＸ制御が適用されており、かつタイミングＴ１１までに送信データが生起されなかったときの移動局装置１の送受信制御を示している。移動局装置１は、設定されたＤＲＸ制御設定に基づいて、タイミングＴ１１でＰＤＣＣＨの監視を開始する（ＰＤＣＣＨ監視状態：ＯＮ）。移動局装置１は、ＰＤＣＣＨの監視をタイミングＴ１１から既定の継続時間Ｐ０１の間は継続する（ＰＤＣＣＨ監視状態：ＯＮ）必要があるが、継続時間Ｐ０１が経過した後はＰＤＣＣＨを監視しないでもよい。
【００８１】
続いて、タイミングＴ１２からタイミングＴ１７までの移動局装置１の送受信制御について説明する。この区間は、移動局装置１に対してＤＲＸ制御が適用されており、かつ無線リソース要求のためにＳＲ−ＰＵＣＣＨの送信を行うと判断したときの送受信制御を示している。換言すると、本区間の移動局装置１の送受信制御は、送信データが生起された際に、該送信データを物理上りリンク共用チャネルＰＵＳＣＨで送信可能な状態ではなく、さらにＳＲ−ＰＵＣＣＨが利用可能であると上りリンク無線リソース要求制御部１１０が判断したときに適用される送受信制御である。
【００８２】
タイミングＴ１２で送信データが生起されたとき、移動局装置１のＳＲ状態はＰｅｎｄｉｎｇ状態へと変更される。なお、説明の簡略化のために図３では省略しているが、タイミングＴ１２以前の移動局装置１のＳＲ状態はＮｏｎ−Ｐｅｎｄｉｎｇ状態として管理されている。ＳＲ状態がＰｅｎｄｉｎｇ状態となった移動局装置１は、ＳＲ−ＰＵＣＣＨを送信可能な直近のタイミングＴ１３でＳＲ−ＰＵＣＣＨ（ＳＲ１１）を送信する。このとき、移動局装置１はＳＲ送信回数のカウンタをインクリメントする。
【００８３】
移動局装置１は、ＳＲ−ＰＵＣＣＨの送信設定に基づいてＳＲ−ＰＵＣＣＨの送信タイミング（タイミングＴ１３）を判断する。また、移動局装置１は、ＳＲ−ＰＵＣＣＨ（ＳＲ１１）の送信と同時にＰＤＣＣＨ監視タイマーを起動する。ＰＤＣＣＨ監視タイマーには、基地局装置２から設定された連続監視時間Ｐ０２が適用される。移動局装置１は、タイミングＴ１３から、ＰＤＣＣＨ監視タイマーが満了するタイミングＴ１４までは、ＰＤＣＣＨを毎サブフレーム監視する（ＰＤＣＣＨ監視状態：ＯＮ）。つまり、移動局装置１は、タイミングＴ１３からタイミングＴ１４までの区間において、自局装置宛の上りリンクの無線リソース割り当て情報を検出するためにＰＤＣＣＨを毎サブフレーム監視する。さらに言い換えると、移動局装置１は、タイミングＴ１３からタイミングＴ１４までの区間において、基地局装置２から送信されるＰＤＣＣＨを毎サブフレーム受信し、ＰＤＣＣＨを用いて通知される上りリンクの無線リソース割り当てに用いられる信号情報（上りリンクグラント（ＵＬ  ｇｒａｎｔ））が検出されるか否かを監視する。
【００８４】
また、基地局装置２は、ＰＤＣＣＨ監視タイマーが起動してから満了するまでの区間において、毎サブフレームではなく、一部のサブフレームでＰＤＣＣＨを監視するような追加のパラメータを移動局装置１に設定してもよい。例えば、ＰＤＣＣＨ監視タイマーが動作中における偶数サブフレーム、奇数サブフレーム、または、設定された一部のサブフレームでのみＰＤＣＣＨを監視するようにしてもよい。追加のパラメータは移動局装置１毎に個別に設定されても、システムで固定的に設定されてもよく、さらに、移動局装置１固有の情報から自律的に設定されてもよい。例えば、ＳＲ−ＰＵＣＣＨを送信したサブフレーム番号から設定されてもよく、ＳＲ−ＰＵＣＣＨの設定に用いるインデックス番号から設定されてもよい。以降、ＰＤＣＣＨ監視タイマーに適用される時間パラメータ、すなわち連続監視時間Ｐ０２を指定するパラメータのことをＰＤＣＣＨ監視タイマー設定として説明する。
【００８５】
ここで、ＰＤＣＣＨ監視タイマー設定は、基地局装置２によってＳＲ−ＰＵＣＣＨの設定の一部として移動局装置１に個別に設定されてもよい。すなわち、移動局装置１毎に異なるＰＤＣＣＨ監視タイマー設定が通知されてもよい。また、ＰＤＣＣＨ監視タイマー設定が通知されない移動局装置１があってもよい。
【００８６】
または、ＳＲ−ＰＵＣＣＨの送信周期（ＳＲ  Ｐｅｒｉｏｄ）に等しい送信周期タイマー（Ｐｅｒｉｏｄｉｃ  Ｔｉｍｅｒ）として所定の値以上の値が基地局装置２から通知されたときに、移動局装置１が暗黙的（自律的）にシステムで既定されたＰＤＣＣＨ監視タイマー設定を適用してもよい。例えば、移動局装置１は、ＳＲ−ＰＵＣＣＨの送信周期タイマーとして８０ｍｓ（ミリ秒）が設定された場合はＰＤＣＣＨ監視タイマー設定を適用せず、ＳＲ−ＰＵＣＣＨの送信周期タイマーが８０ｍｓを超えた値（例えば１６０ｍｓ）が設定された場合はＰＤＣＣＨ監視タイマー設定を適用してもよい。
【００８７】
または、ＳＲ−ＰＵＣＣＨの送信周期タイマー（Ｐｅｒｉｏｄｉｃ  Ｔｉｍｅｒ）として所定の値以上の値が基地局装置２から通知されたときに、ＳＲ−ＰＵＣＣＨの送信周期タイマーの値からＰＤＣＣＨ監視タイマー設定を移動局装置１が暗黙的（自律的）に計算して適用してもよい。ここで、計算した値とは、ＳＲ−ＰＵＣＣＨの送信周期タイマーをｎ分の１にした値（ｎは０でない自然数）であってもよい。また、計算に用いる係数ｎは、基地局装置２から通知されてもよいし、システムで規定された固定の数値であってもよい。例えば、移動局装置１は、ＳＲ−ＰＵＣＣＨの送信周期タイマーとして８０ｍｓ（ミリ秒）が設定された場合はＰＤＣＣＨ監視タイマー設定を適用せず、ＳＲ−ＰＵＣＣＨの送信周期タイマーが８０ｍｓを超えた値（例えば１６０ｍｓ）が設定された場合はＰＤＣＣＨ監視タイマー設定として、ｎ分の１にした値（ｎが４である場合は、２０ｍｓ）を適用してもよい。
【００８８】
または、ＰＤＣＣＨ監視タイマー設定は、ＰＤＣＣＨ監視タイマーを起動するか否かを指定する情報であってもよい。起動する場合のＰＤＣＣＨ監視タイマー設定は、上述したいずれかの方法に基づいて適用してもよい。
【００８９】
図３に戻り、連続監視時間Ｐ０２の区間で基地局装置２から物理下りリンク制御チャネルＰＤＣＣＨによる無線リソース割り当て（上りリンクグラント（ＵＬ  ｇｒａｎｔ））を受信しなかった場合、移動局装置１は、タイミングＴ１４から次のＳＲ−ＰＵＣＣＨの送信機会であるタイミングＴ１５までは、ＰＤＣＣＨの監視を行わなくてもよい。ＳＲ−ＰＵＣＣＨの送信機会であるタイミングＴ１５は、移動局装置１が直前に送信したＳＲ−ＰＵＣＣＨ（ＳＲ１１）からＳＲ−ＰＵＣＣＨの送信周期（ＳＲ  Ｐｅｒｉｏｄ）だけ経過したタイミングと等しい。
【００９０】
このように構成することによって、移動局装置１は、物理下りリンク制御チャネルＰＤＣＣＨの監視を行わなくてよい区間（タイミングＴ１４からタイミングＴ１５までの区間）が設定されるため、該区間においてＰＤＣＣＨの監視のために用いられる消費電力を抑制することが可能である。特に、ＳＲ−ＰＵＣＣＨの送信周期（ＳＲ  Ｐｅｒｉｏｄ）が長期間であるほど無線リソースの利用効率および消費電力の抑制効果が上がる。
【００９１】
続いて、移動局装置１は、ＳＲ−ＰＵＣＣＨの送信周期（ＳＲ  Ｐｅｒｉｏｄ）であるタイミングＴ１５でＳＲ−ＰＵＣＣＨ（ＳＲ１２）を送信する。また、このとき、移動局装置１はＳＲ送信回数のカウンタをインクリメントする。また、移動局装置１は、ＳＲ−ＰＵＣＣＨ（ＳＲ１２）の送信と同時にＰＤＣＣＨ監視タイマーを起動し、ＰＤＣＣＨ監視に関してタイミングＴ１３からタイミングＴ１５の区間で説明した同様の受信制御をタイミングＴ１５からタイミングＴ１７の区間、およびそれ以降の区間に対しても適用する。
【００９２】
移動局装置１は、ハンドオーバーや無線リンク障害などの特殊な接続手順が発生しなければ、ＳＲ−ＰＵＣＣＨの連続送信回数が最大送信回数に達するまで、または、基地局装置２から自局装置に対して送信される上りリンクグラント（ＵＬ  ｇｒａｎｔ）を検出するまで同様の受信制御を繰り返す。
【００９３】
図３では、移動局装置１が、タイミングＴ１７で送信したＳＲ−ＰＵＣＣＨ（ＳＲ１３）に対応する連続監視時間Ｐ０２の区間において、タイミングＲ１１で基地局装置２から自局装置宛の上りリンクグラント（ＵＬ  ｇｒａｎｔ）を検出した場合の例を示す。すなわち、基地局装置２が上りリンクグラントを移動局装置１へ送信するタイミングＲ１１は、移動局装置１に適用されているＰＤＣＣＨ監視タイマーの区間内である。このとき、移動局装置１は、ＳＲ状態をＰｅｎｄｉｎｇ状態からＮｏｎ−Ｐｅｎｄｉｎｇ状態に遷移させ、さらに、ＰＤＣＣＨ監視タイマーを停止し、ＰＤＣＣＨの監視を毎サブフレーム行う通常の受信制御を適用する（ＰＤＣＣＨ監視状態：ＯＮ）。なお、移動局装置１は、ＰＤＣＣＨ監視タイマーをリリースしてもよいし、満了したと判断してもよい。
【００９４】
本実施形態の移動局装置１は、基地局装置２から無線リソース要求のための物理上りリンク制御チャネルの送信後に、所定の時間を計時するタイマーを明示的または暗黙的に設定することができる。また、移動局装置１は、該タイマーが計時中の区間以外を物理下りリンク制御チャネルの監視を行わなくてよい区間とみなすことできる。
【００９５】
また、本実施形態の基地局装置２は、移動局装置１に対して無線リソース要求のための物理上りリンク制御チャネルの送信後に、所定の時間を計時するタイマーを明示的または暗黙的に設定するためのパラメータを通知することができる。また、基地局装置２は、該タイマーが計時中の区間以外において、移動局装置１に対して物理下りリンク制御チャネルを送信しないで良い。
【００９６】
このように、第１の実施形態によれば、移動局装置１とは、基地局装置２から通知される無線リソース要求のための物理上りリンク制御チャネルの設定に基づいて、無線リソース要求のための物理上りリンク制御チャネルを送信後に、物理下りリンク制御チャネルの監視を行わない区間をタイマーに基づいて設定できるため、無線リソースの利用効率を向上させつつ、移動局装置１の消費電力を削減することができる。
【００９７】
＜第２の実施形態＞
本発明の第２の実施形態について以下に説明する。第１の実施形態では、移動局装置１がＳＲ−ＰＵＣＣＨ送信後にＰＤＣＣＨ監視タイマーを起動する例について開示したが、本実施形態では、ＰＤＣＣＨ監視タイマーを起動するタイミングを任意のタイミングに設定可能な方法について開示する。本実施形態に用いる移動局装置１と基地局装置２の構成は、それぞれ図１と図２と同じ構成で良いため説明を省略する。
【００９８】
図４は、本実施形態における移動局装置１と基地局装置２との間における、送受信制御に関連する情報のやり取りについて示した図であり、図の見方は図３と同じである。また、移動局装置１にはＤＲＸ／ＤＴＸ制御が適用されている。
【００９９】
タイミングＴ２１からタイミングＴ２２までの移動局装置１の送受信制御は、図３におけるタイミングＴ１１からタイミングＴ１２までの区間における移動局装置１の送受信制御と同じであるため説明を省略する。
【０１００】
続いて、タイミングＴ２２からタイミングＴ２６までの移動局装置１の送受信制御について説明する。この区間は、移動局装置１に対してＤＲＸ制御が適用されており、かつ無線リソース要求のためにＳＲ−ＰＵＣＣＨの送信を行うと判断したときの送受信制御を示している。換言すると、本区間の移動局装置１の送受信制御は、送信データが生起された際に、該送信データを物理上りリンク共用チャネルＰＵＳＣＨで送信可能な状態ではなく、さらにＳＲ−ＰＵＣＣＨが利用可能であると上りリンク無線リソース要求制御部１１０が判断したときに適用される送受信制御である。
【０１０１】
タイミングＴ２２で送信データが生起されたとき、移動局装置１のＳＲ状態はＰｅｎｄｉｎｇ状態へと変更される。なお、図３と同様に、タイミングＴ２２以前の移動局装置１のＳＲ状態はＮｏｎ−Ｐｅｎｄｉｎｇ状態として管理されている。ＳＲ状態がＰｅｎｄｉｎｇ状態となった移動局装置１は、ＳＲ−ＰＵＣＣＨを送信可能な直近のタイミングＴ２３でＳＲ−ＰＵＣＣＨ（ＳＲ２１）を送信する。このとき、移動局装置１はＳＲ送信回数のカウンタをインクリメントする。
【０１０２】
移動局装置１は、ＳＲ−ＰＵＣＣＨの送信設定に基づいてＳＲ−ＰＵＣＣＨの送信タイミング（タイミングＴ２３）を判断する。また、移動局装置１は、ＳＲ−ＰＵＣＣＨ（ＳＲ２１）の送信と同時にＰＤＣＣＨ監視タイマーを起動するまでのオフセット値Ｐ０３を適用する。ここでは、オフセット値Ｐ０３を適用したタイミングＴ２４で実際のＰＤＣＣＨ監視タイマーが起動される。すなわち、オフセット値はＰＤＣＣＨ監視タイマーを起動するタイミングの調整に用いられる。ＰＤＣＣＨ監視タイマーには、基地局装置２から設定された連続監視時間Ｐ０４が適用される。移動局装置１は、オフセット値を適用したＰＤＣＣＨ監視タイマーが起動するまでの区間、すなわちタイミングＴ２３からタイミングＴ２４までの区間では、ＰＤＣＣＨの監視を行わないで良い。
【０１０３】
移動局装置１は、ＰＤＣＣＨ監視タイマーが起動してから満了するまでの連続監視時間Ｐ０４、すなわちタイミングＴ２４からタイミングＴ２５までは、ＰＤＣＣＨを毎サブフレーム監視する（ＰＤＣＣＨ監視状態：ＯＮ）。ＰＤＣＣＨ監視タイマーに適用される時間パラメータ（ＰＤＣＣＨ監視タイマー設定）の設定方法は、第１の実施形態で説明したいずれかの方法を用いてよい。
【０１０４】
また、基地局装置２は、ＰＤＣＣＨ監視タイマーが起動してから満了するまでの区間において、毎サブフレームではなく、一部のサブフレームでＰＤＣＣＨを監視するような追加のパラメータを移動局装置１に設定してもよい。例えば、ＰＤＣＣＨ監視タイマーが動作中における偶数サブフレーム、奇数サブフレーム、または、設定された一部のサブフレームでのみＰＤＣＣＨを監視するようにしてもよい。追加のパラメータは移動局装置１毎に個別に設定されても、システムで固定的に設定されてもよく、さらに、移動局装置１固有の情報から自律的に設定されてもよい。例えば、ＳＲ−ＰＵＣＣＨを送信したサブフレーム番号から設定されてもよく、ＳＲ−ＰＵＣＣＨの設定に用いるインデックス番号から設定されてもよい。以降、ＰＤＣＣＨ監視タイマーを起動するまでのオフセット値Ｐ０３をＰＤＣＣＨ監視オフセット値と称し、ＰＤＣＣＨ監視オフセット値の設定方法について説明する。
【０１０５】
ここで、ＰＤＣＣＨ監視オフセット値は、基地局装置２によってＳＲ−ＰＵＣＣＨの設定の一部として移動局装置１に個別に通知されて設定されてもよい。すなわち、移動局装置１毎に異なるＰＤＣＣＨ監視オフセット値が通知されてもよい。また、ＰＤＣＣＨ監視オフセット値が通知されない移動局装置１があってもよい。また、複数のＰＤＣＣＨ監視オフセット値の１つを選択するインデックス番号が通知されてもよく、インデックス番号はシステムで固定的に設定されても、移動局装置１毎に個別に設定されてもよい。
【０１０６】
または、ＳＲ−ＰＵＣＣＨの送信周期（ＳＲ  Ｐｅｒｉｏｄ）に等しい送信周期タイマー（Ｐｅｒｉｏｄｉｃ  Ｔｉｍｅｒ）として所定の値以上の値が基地局装置２から通知されたときに、移動局装置１が暗黙的（自律的）にシステムで既定されたＰＤＣＣＨ監視オフセット値を適用してもよい。例えば、移動局装置１は、ＳＲ−ＰＵＣＣＨの送信周期タイマーとして８０ｍｓ（ミリ秒）が設定された場合はＰＤＣＣＨ監視オフセット値を適用せず、ＳＲ−ＰＵＣＣＨの送信周期タイマーが８０ｍｓを超えた値（例えば１６０ｍｓ）が設定された場合はＰＤＣＣＨ監視オフセット値を適用してもよい。
【０１０７】
または、ＳＲ−ＰＵＣＣＨの送信周期タイマー（Ｐｅｒｉｏｄｉｃ  Ｔｉｍｅｒ）として所定の値以上の値が基地局装置２から通知されたときに、ＳＲ−ＰＵＣＣＨの送信周期タイマーの値からＰＤＣＣＨ監視オフセット値を移動局装置１が暗黙的（自律的）に計算して適用してもよい。ここで、計算した値とは、ＳＲ−ＰＵＣＣＨの送信周期タイマーをｎ分の１にした値（ｎは０でない自然数）であってもよい。また、計算に用いる係数ｎは、基地局装置２から通知されてもよいし、システムで規定された固定の数値であってもよい。例えば、移動局装置１は、ＳＲ−ＰＵＣＣＨの送信周期タイマーとして８０ｍｓ（ミリ秒）が設定された場合はＰＤＣＣＨ監視オフセット値を適用せず、ＳＲ−ＰＵＣＣＨの送信周期タイマーが８０ｍｓを超えた値（例えば１６０ｍｓ）が設定された場合はＰＤＣＣＨ監視オフセット値として、ｎ分の１にした値（ｎが４である場合は、２０ｍｓ）を適用してもよい。
【０１０８】
または、ＰＤＣＣＨ監視オフセット値は、ＰＤＣＣＨ監視オフセット値を設定するか否かを指定する情報であってもよい。設定する場合のＰＤＣＣＨ監視オフセット値は、上述したいずれかの方法に基づいて適用してもよい。
【０１０９】
また、ＰＤＣＣＨ監視オフセット値はタイマーとして設定されてもよい。
【０１１０】
図４に戻り、連続監視時間Ｐ０４の区間で基地局装置２から物理ＰＤＣＣＨによる無線リソース割り当て（上りリンクグラント（ＵＬ  ｇｒａｎｔ））を検出しなかった場合、移動局装置１は、タイミングＴ２５から次のＳＲ−ＰＵＣＣＨの送信機会であるタイミングＴ２６までは、ＰＤＣＣＨの監視を行わなくてもよい。ＳＲ−ＰＵＣＣＨの送信機会であるタイミングＴ２６は、移動局装置１が直前に送信したＳＲ−ＰＵＣＣＨ（ＳＲ２１）からＳＲ−ＰＵＣＣＨの送信周期（ＳＲ  Ｐｅｒｉｏｄ）だけ経過したタイミングと等しい。
【０１１１】
このように構成することによって、移動局装置１は、物理下りリンク制御チャネルＰＤＣＣＨの監視を行わなくてよい区間（タイミングＴ２３からタイミングＴ２４までの区間、およびタイミングＴ２５からタイミングＴ２６までの区間）が設定されるため、該区間においてＰＤＣＣＨの監視のために用いられる消費電力を抑制することが可能である。特に、ＳＲ−ＰＵＣＣＨの送信周期（ＳＲ  Ｐｅｒｉｏｄ）が長期間であるほど無線リソースの利用効率および消費電力の抑制効果が上がる。
【０１１２】
続いて、移動局装置１は、ＳＲ−ＰＵＣＣＨの送信周期（ＳＲ  Ｐｅｒｉｏｄ）であるタイミングＴ２６でＳＲ−ＰＵＣＣＨ（ＳＲ２２）を送信する。また、このとき、移動局装置１はＳＲ送信回数のカウンタをインクリメントする。また、移動局装置１は、ＳＲ−ＰＵＣＣＨ（ＳＲ２２）の送信と同時にＰＤＣＣＨ監視タイマーを起動するまでのオフセット値Ｐ０３を適用し、ＰＤＣＣＨ監視に関してタイミングＴ２３からタイミングＴ２６の区間で説明した同様の受信制御をタイミングＴ２６からタイミングＴ２８の区間、およびそれ以降の区間に対しても適用する。
【０１１３】
移動局装置１は、ハンドオーバーや無線リンク障害などの特殊な接続手順が発生しなければ、ＳＲ−ＰＵＣＣＨの連続送信回数が最大送信回数に達するまで、または、基地局装置２から送信される上りリンクグラント（ＵＬ  ｇｒａｎｔ）を検出するまで同様の受信制御を繰り返す。
【０１１４】
移動局装置１が基地局装置２から送信される上りリンクグラント（ＵＬ  ｇｒａｎｔ）を検出した後の動作は、第１の実施形態と同じで良い。すなわち、基地局装置２から送信される上りリンクグラント（ＵＬ  ｇｒａｎｔ）を検出した移動局装置１は、ＳＲ状態をＰｅｎｄｉｎｇ状態からＮｏｎ−Ｐｅｎｄｉｎｇ状態に遷移させ、さらに、ＰＤＣＣＨ監視タイマーを停止し、ＰＤＣＣＨの監視を毎サブフレーム行う通常の受信制御を適用する（ＰＤＣＣＨ監視状態：ＯＮ）。なお、移動局装置１は、ＰＤＣＣＨ監視タイマーをリリースしてもよいし、満了したと判断してもよい。
【０１１５】
本実施形態の移動局装置１は、無線リソース要求のための物理上りリンク制御チャネルを送信してオフセット値を適用した後に、所定の時間を計時するタイマーを明示的または暗黙的に設定することができる。また、移動局装置１は、該タイマーが計時中の区間以外を物理下りリンク制御チャネルの監視を行わなくてよい区間とみなすことできる。
【０１１６】
また、本実施形態の基地局装置２は、移動局装置１に対して無線リソース要求のための物理上りリンク制御チャネルを送信してオフセット値を適用した後に、所定の時間を計時するタイマーを明示的または暗黙的に設定するためのパラメータを通知して設定することができる。また、基地局装置２は、該タイマーが計時中の区間以外において、移動局装置１に対して下りリンク制御チャネルを送信しないで良い。
【０１１７】
このように、第２の実施形態によれば、移動局装置１は、基地局装置２から通知される無線リソース要求のための物理上りリンク制御チャネルの設定に基づいて、無線リソース要求のための物理上りリンク制御チャネルを送信後に、物理下りリンク制御チャネルの監視を行わない区間をオフセット値とタイマーに基づいて設定できるため、無線リソースの利用効率を向上させつつ、移動局装置１の消費電力を削減することができる。
【０１１８】
なお、以上説明した実施形態は単なる例示に過ぎず、様々な変形例、置換例を用いて実現することができる。例えば、本上りリンク送信方式は、ＦＤＤ（周波数分割復信）方式とＴＤＤ（時分割復信）方式のどちらの通信システムに対しても適用可能である。また、下りリンクの測定値は、パスロスや、それ以外の測定値（ＳＩＲ、ＳＩＮＲ、ＲＳＲＰ、ＲＳＲＱ、ＲＳＳＩ、ＢＬＥＲ）を代わり用いても良いし、これらの測定値の複数を組み合わせて使用することも可能である。また、実施形態で示される各パラメータの名称は、説明の便宜上呼称しているものであって、実際に適用されるパラメータ名称と本発明の実施形態のパラメータ名称とが異なっていても、本発明の実施形態において主張する発明の趣旨に影響するものではない。
【０１１９】
また、移動局装置１とは、移動する端末に限らず、固定端末に移動局装置１の機能を実装することなどにより本発明の実施形態を実現しても良い。移動局装置は、ユーザ端末、端末装置、通信端末、移動機、移動局、ＵＥ（Ｕｓｅｒ  Ｅｑｕｉｐｍｅｎｔ）、ＭＳ（Ｍｏｂｉｌｅ  Ｓｔａｔｉｏｎ）とも称される。基地局装置は、無線基地局装置、基地局、無線基地局、固定局、ＮＢ（Ｎｏｄｅ−Ｂ）、ｅＮＢ（ｅｖｏｌｖｅｄ  Ｎｏｄｅ−Ｂ）ＢＴＳ（Ｂａｓｅ  Ｔｒａｎｓｃｅｉｖｅｒ  Ｓｔａｔｉｏｎ）、ＢＳ（Ｂａｓｅ  Ｓｔａｔｉｏｎ）とも称される。
【０１２０】
また、説明の便宜上、実施形態の移動局装置１および基地局装置２を機能的なブロック図を用いて説明したが、移動局装置１および基地局装置２の各部の機能またはこれらの機能の一部を実現するための方法またはアルゴリズムのステップは、ハードウェア、プロセッサによって実行されるソフトウェアモジュール、またはこれら２つを組み合わせたものによって、直接的に具体化され得る。もしソフトウェアによって実装されるのであれば、その機能は、コンピュータ読み取り可能な媒体上の一つ以上の命令またはコードとして保持され、または伝達され得る。コンピュータ読み取り可能な媒体は、コンピュータプログラムをある場所から別の場所への持ち運びを助ける媒体を含むコミュニケーションメディアやコンピュータ記録メディアの両方を含む。
【０１２１】
そして、一つ以上の命令またはコードをコンピュータ読み取り可能な記録媒体に記録し、この記録媒体に記録された一つ以上の命令またはコードをコンピュータシステムに読み込ませ、実行することにより移動局装置１や基地局装置２の制御を行なっても良い。なお、ここでいう「コンピュータシステム」とは、ＯＳや周辺機器等のハードウェアを含むものとする。
【０１２２】
本発明の各実施形態に記載の動作をプログラムで実現してもよい。本発明の各実施形態に関わる移動局装置１および基地局装置２で動作するプログラムは、本発明の各実施形態に関わる上記実施形態の機能を実現するように、ＣＰＵ等を制御するプログラム（コンピュータを機能させるプログラム）である。そして、これら装置で取り扱われる情報は、その処理時に一時的にＲＡＭに蓄積され、その後、各種ＲＯＭやＨＤＤに格納され、必要に応じてＣＰＵによって読み出し、修正・書き込みが行なわれる。また、プログラムを実行することにより、上述した実施形態の機能が実現されるだけでなく、そのプログラムの指示に基づき、オペレーティングシステムあるいは他のアプリケーションプログラム等と共同して処理することにより、本発明の各実施形態の機能が実現される場合もある。
【０１２３】
また、「コンピュータ読み取り可能な記録媒体」とは、半導体媒体（例えば、ＲＡＭ、不揮発性メモリカード等）、光記録媒体（例えば、DVD、MO、MD、CD、BD等）、磁気記録媒体（例えば、磁気テープ、フレキシブルディスク等）等の可搬媒体、コンピュータシステムに内蔵されるディスクユニット等の記憶装置のことをいう。さらに、「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。
【０１２４】
また、上記プログラムは、前述した機能の一部を実現するためのものであっても良く、さらに、前述した機能をコンピュータシステムに既に記録されているプログラムとの組み合わせで実現できるものであっても良い。
【０１２５】
また、上記各実施形態に用いた移動局装置１および基地局装置２の各機能ブロック、または諸特徴は、本明細書で述べられた機能を実行するように設計された汎用用途プロセッサ、デジタルシグナルプロセッサ（ＤＳＰ）、特定用途向け集積回路（ＡＳＩＣ）、フィールドプログラマブルゲートアレイシグナル（ＦＰＧＡ）、またはその他のプログラマブル論理デバイス、ディスクリートゲートまたはトランジスタロジック、ディスクリートハードウェア部品、またはこれらを組み合わせたものによって、実装または実行され得る。汎用用途プロセッサは、マイクロプロセッサであっても良いが、代わりにプロセッサは従来型のプロセッサ、コントローラ、マイクロコントローラ、またはステートマシンであっても良い。
【０１２６】
プロセッサはまた、コンピューティングデバイスを組み合わせたものとして実装されても良い。例えば、ＤＳＰとマイクロプロセッサ、複数のマイクロプロセッサ、ＤＳＰコアと接続された一つ以上のマイクロプロセッサ、またはその他のそのような構成を組み合わせたものである。
【０１２７】
以上、この発明の実施形態について特定の具体例に基づいて詳述してきたが、本発明の各実施形態の趣旨ならびに特許請求の範囲は、これら特定の具体例に限定されないことは明らかである。すなわち、本明細書の記載は例示説明を目的としたものであり、本発明の各実施形態に対して何ら制限を加えるものではない。
【符号の説明】
【０１２８】
１…移動局装置
２…基地局装置
１０１、２０１…受信部
１０２、２０２…復調部
１０３、２０３…復号部
１０４…測定処理部
１０５、２０４…制御部
１０６…上りリンクバッファ制御部
１０７、２０５…符号部
１０８、２０６…変調部
１０９、２０７…送信部
１１０…上りリンク無線リソース要求制御部
１１１…ランダムアクセス制御部
１１２、２０８…上位レイヤ
２０９…ネットワーク信号送受信部
【図１】
2013229694.tif 000003
【図２】
2013229694.tif 000004
【図３】
2013229694.tif 000005
【図４】
2013229694.tif 000006